(57)【特許請求の範囲】
【請求項１】
アンテナを選択するための方法であって、
第１のドウェリング期間の間に第１のメトリックおよび無線周波数（ＲＦ）チェーンを有する第１のアンテナを使用して送信することと、
第１の検定期間の間に第２のメトリックを有する第２のアンテナを使用して送信することにスイッチすることであって、前記第２のアンテナは、前記第１のアンテナと同一のＲＦチェーンを使用する、ことと、ここで、前記ドウェリング期間は、前記検定期間の前に送信する時間の量であり、前記第１の検定期間は、前記第２のメトリックが検定閾値だけ前記第１のメトリックよりも悪い場合、早めに終了させられる、
最適なアンテナを決定するために前記第２のメトリックと前記第１のメトリックを比較することと、
前記最適なアンテナを選択することと
を含む方法。
【請求項２】
前記第１のメトリックは、前記第１のアンテナのための送信パイロットパワーを含み、前記第２のメトリックは、前記第２のアンテナのための送信パイロットパワーを含む、請求項１に記載の方法。
【請求項３】
前記第１のメトリックは、前記第１のアンテナのための合計送信パワーを含み、前記第２のメトリックは、前記第２のアンテナのための合計送信パワーを含む、請求項１に記載の方法。
【請求項４】
前記第１のメトリックは、前記第１のアンテナのための受信信号情報を含み、前記第２のメトリックは、前記第２のアンテナのための受信信号情報を含む、請求項１に記載の方法。
【請求項５】
基地局からパワー制御ビットを受信することと、
前記受信されたパワー制御ビットに応じて前記第１のメトリックを調整することと
をさらに含む、請求項１に記載の方法。
【請求項６】
基地局からパワー制御ビットを受信することと、
前記受信されたパワー制御ビットに応じて前記第２のメトリックを調整することと
をさらに含む、請求項１に記載の方法。 
【請求項７】
第２の検定期間を開始する前の第２のドウェリング期間の間に前記最適なアンテナを使用して送信することをさらに含む、請求項１に記載の方法。
【請求項８】
前記第１のドウェリング期間は、前記第１のメトリックがドウェリング時間閾値の間にドウェリングメトリック閾値を超えてより悪い場合、早めに終了させられる、請求項１に記載の方法。
【請求項９】
前記第１のドウェリング期間は、前記第１のアンテナが前記最適なアンテナとして連続して選択され、前記第１のドウェリング期間が最大ドウェリング期間でない場合、ドウェリング期間延長スケーリングファクターによって増加させられる、請求項１に記載の方法。 
【請求項１０】
前記第１のドウェリング期間は、異なるアンテナが前のドウェリング期間の間の前記最適なアンテナとして選択され、前記第１のドウェリング期間が最小ドウェリング期間でない場合、ドウェリング期間減少スケーリングファクターによって減少させられる、請求項１に記載の方法。
【請求項１１】
前記最適なアンテナを選択することが、より良好なメトリックを有するアンテナを選択することを含む、請求項１に記載の方法。
【請求項１２】
前記ＲＦチェーンが単一のパワー増幅器を含む、請求項１に記載の方法。
【請求項１３】
前記ＲＦチェーンが、デジタルアナログコンバータ（ＤＡＣ）、無線周波数（ＲＦ）ミキサ、励振増幅器、および、単一のパワー増幅器を含む、請求項１に記載の方法。
【請求項１４】
プロセッサと、
前記プロセッサと電子通信するメモリと、
前記メモリに記憶された命令であって、
第１のドウェリング期間の間に第１のメトリックおよび無線周波数（ＲＦ）チェーンを有する第１のアンテナを使用して送信し、
第１の検定期間の間に第２のメトリックを有する第２のアンテナを使用して送信することにスイッチし、前記第２のアンテナは前記第１のアンテナと同一のＲＦチェーンを使用し、ここで、前記ドウェリング期間は、前記検定期間の前に送信する時間の量であり、前記第１の検定期間は、前記第２のメトリックが検定閾値だけ前記第１のメトリックよりも悪い場合、早めに終了させられる、
最適なアンテナを決定するために前記第２のメトリックと前記第１のメトリックを比較し、
前記最適なアンテナを選択する
ために、前記プロセッサによって実行可能な命令と
を含む、アンテナを選択するために構成された無線デバイス。
【請求項１５】
前記第１のメトリックは、前記第１のアンテナのための送信パイロットパワーを含み、前記第２のメトリックは、前記第２のアンテナのための送信パイロットパワーを含む、請求項１４に記載の無線デバイス。
【請求項１６】
前記第１のメトリックは、前記第１のアンテナのための合計送信パワーを含み、前記第２のメトリックは、前記第２のアンテナのための合計送信パワーを含む、請求項１４に記載の無線デバイス。
【請求項１７】
前記第１のメトリックは、前記第１のアンテナのための受信信号情報を含み、前記第２のメトリックは、前記第２のアンテナのための受信信号情報を含む、請求項１４に記載の無線デバイス。
【請求項１８】
前記命令が、
基地局からパワー制御ビットを受信し、
前記受信されたパワー制御ビットに応じて前記第１のメトリックを調整する
ためにさらに実行可能である、請求項１４に記載の無線デバイス。
【請求項１９】
前記命令が、
基地局からパワー制御ビットを受信し、
前記受信されたパワー制御ビットに応じて前記第２のメトリックを調整する
ためにさらに実行可能である、請求項１４に記載の無線デバイス。 
【請求項２０】
前記命令が、第２の検定期間を開始する前の第２のドウェリング期間の間に前記最適なアンテナを使用して送信するためにさらに実行可能である、請求項１４に記載の無線デバイス。
【請求項２１】
前記第１のドウェリング期間は、前記第１のメトリックがドウェリング時間閾値の間にドウェリングメトリック閾値を超えてより悪い場合、早めに終了させられる、請求項１４に記載の無線デバイス。
【請求項２２】
前記第１のドウェリング期間は、前記第１のアンテナが前記最適なアンテナとして連続して選択され、前記第１のドウェリング期間が最大ドウェリング期間でない場合、ドウェリング期間延長スケーリングファクターによって増加させられる、請求項１４に記載の無線デバイス。 
【請求項２３】
前記第１のドウェリング期間は、異なるアンテナが前のドウェリング期間の間の前記最適なアンテナとして選択され、前記第１のドウェリング期間が最小ドウェリング期間でない場合、ドウェリング期間減少スケーリングファクターによって減少させられる、請求項１４に記載の無線デバイス。
【請求項２４】
前記最適なアンテナを選択することが、より良好なメトリックを有するアンテナを選択することを含む、請求項１４に記載の無線デバイス。
【請求項２５】
前記ＲＦチェーンが単一のパワー増幅器を含む、請求項１４に記載の無線デバイス。
【請求項２６】
前記ＲＦチェーンが、デジタルアナログコンバータ（ＤＡＣ）、無線周波数（ＲＦ）ミキサ、励振増幅器、および、単一のパワー増幅器を含む、請求項１４に記載の無線デバイス。
【請求項２７】
第１のドウェリング期間の間に第１のメトリックおよび無線周波数（ＲＦ）チェーンを有する第１のアンテナを使用して送信するための手段と、
第１の検定期間の間に第２のメトリックを有する第２のアンテナを使用して送信することにスイッチするための手段であって、前記第２のアンテナは前記第１のアンテナと同一のＲＦチェーンを使用する、手段と、ここで、前記ドウェリング期間は、前記検定期間の前に送信する時間の量であり、前記第１の検定期間は、前記第２のメトリックが検定閾値だけ前記第１のメトリックよりも悪い場合、早めに終了させられる、
最適なアンテナを決定するために前記第２のメトリックと前記第１のメトリックを比較するための手段と、
前記最適なアンテナを選択するための手段と
を含む、アンテナを選択するために構成された装置。
【請求項２８】
アンテナを選択するためのコンピュータプログラムであって、前記コンピュータプログラム製品は、命令を有するコンピュータ可読媒体を含み、前記命令が、
第１のドウェリング期間の間に第１のメトリックおよび無線周波数（ＲＦ）チェーンを有する第１のアンテナを使用して送信するためのコードと、
第１の検定期間の間に第２のメトリックを有する第２のアンテナを使用して送信することにスイッチするためのコードであって、前記第２のアンテナは前記第１のアンテナと同一のＲＦチェーンを使用する、コードと、ここで、前記ドウェリング期間は、前記検定期間の前に送信する時間の量であり、前記第１の検定期間は、前記第２のメトリックが検定閾値だけ前記第１のメトリックよりも悪い場合、早めに終了させられる、
最適なアンテナを決定するために前記第２のメトリックと前記第１のメトリックを比較するためのコードと、
前記最適なアンテナを選択するためのコードと
を含む、コンピュータプログラム。
【発明の詳細な説明】
【技術分野】
【０００１】
本開示は、概して無線通信システムに関する。より詳細には、本開示は、パワー制御ベースのアンテナスイッチングのためのシステムおよび方法に関する。
【背景技術】
【０００２】
無線通信デバイスは、消費者のニーズを満たし、持ち運びのよさと利便性を向上させるために、より小さく、よりパワフルになってきた。消費者は、携帯電話、携帯情報端末（ＰＤＡ）、ラップトップコンピュータ、等といった無線通信デバイスに依存するようになってきている。消費者は、信頼性の高いサービス、拡張されたカバレッジエリア、および、増加した機能を期待するようになってきている。無線通信デバイスは、移動局、加入者局、アクセス端末、リモート局、ユーザー端末、端末、加入者ユニット、ユーザー機器、等と呼ばれることができ得る。ここでは、「移動デバイス」という用語が使用される。
【０００３】
無線通信システムは、その各々が基地局によってサービスされることができ得る多数のセルのために、通信を提供することができ得る。基地局は、移動局と通信する固定局であることができ得る。あるいは、基地局は、アクセスポイントまたはいくつかの他の専門用語で呼ばれることができ得る。
【０００４】
移動デバイスは、アップリンクおよびダウンリンクの伝送を介して、１つ以上の基地局と通信することができ得る。アップリンク（または、リバースリンク）は、移動デバイスから基地局への通信リンクのことを言い、ダウンリンク（または、フォワードリンク）は、基地局から移動デバイスへの通信リンクのことを言う。無線通信システムは、複数の移動デバイスのための通信を同時にサポートすることができ得る。
【０００５】
無線通信システムは、利用可能なシステムリソース（たとえば、帯域幅および送信パワー）を共有することによって複数のユーザーとの通信をサポートすることができる、多元接続システムであることができ得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および空間分割多元接続（ＳＤＭＡ）を含む。
【０００６】
無線通信デバイスは、複数のアンテナを含むことができ得る。恩恵が、複数のアンテナを使用するための改良された方法および装置を提供することによって、実現されることができ得る。
【図面の簡単な説明】
【０００７】
【図１】基地局と無線通信する移動デバイスを含むシステムを示す図である。
【図２】本発明の方法および装置で使用するための移動デバイスのコンポーネントを示すブロック図である。
【図３】移動デバイスによって最適なアンテナを決定するためのパワー制御ベースの仮説検定のためのタイミングチャートである。
【図４】仮説検定を使用したパワー制御ベースのアンテナスイッチングのための方法を示すフローチャートである。
【図４Ａ】図４の方法に対応するミーンズ・プラス・ファンクション・ブロックを示す図である。
【図５】仮説検定を使用したパワー制御ベースのアンテナスイッチングのための代替の方法を示すフローチャートである。
【図５Ａ】図５の方法に対応するミーンズ・プラス・ファンクション・ブロックを示す図である。
【図６】移動デバイスによって最適なアンテナを決定するための仮説検定を使用したパワー制御ベースのアンテナスイッチングの別の構成のためのタイミングチャートである。
【図７】仮説検定を使用したパワー制御ベースのアンテナスイッチングのための別の方法を示すフローチャートである。
【図７Ａ】図７の方法に対応するミーンズ・プラス・ファンクション・ブロックを示す図である。
【図８】仮説検定を使用したパワー制御ベースのアンテナスイッチングの別の構成のためのタイミングチャートである。
【図９】仮説検定を使用したパワー制御ベースのアンテナスイッチングのためのシステムの一部としてのドウェリング（dwelling）期間の持続時間を増減させるための構成のタイミングチャートである。
【図１０】３つのアンテナを有する移動デバイスによって最適なアンテナを決定するための仮説検定を使用したパワー制御ベースのアンテナスイッチングのためのタイミングチャートである。
【図１０Ａ】３つのアンテナを有する移動デバイスによって最適なアンテナを決定するための仮説検定を使用したパワー制御ベースのアンテナスイッチングのための代替のタイミングチャートである。
【図１１】無線デバイスで利用されることができ得るさまざまなコンポーネントを示す図である。
【発明の概要】
【０００８】
アンテナを選択するための方法が説明される。第１のメトリックおよび無線周波数（ＲＦ）チェーンを有する第１のアンテナが、第１のドウェリング（dwelling）期間の間に、送信する。該方法は、また、第１の検定期間の間に第２のメトリックを有する第２のアンテナを使用して送信することにスイッチすることを含む。第２のアンテナは、第１のアンテナと同一のＲＦチェーンを使用する。第１のメトリックは、最適なアンテナを決定するために、第２のメトリックと比較される。最適なアンテナが選択される。
【０００９】
第１のメトリックは、第１のアンテナのための送信パイロットパワーを含むことができ、第２のメトリックは、第２のアンテナのための送信パイロットパワーを含むことができ得る。第１のメトリックは、第１のアンテナのための合計送信パワーを含むこともでき、第２のメトリックは、第２のアンテナのための合計送信パワーを含むことができ得る。第１のメトリックは、第１のアンテナのための受信信号情報測定値をさらに含むことができ、第２のメトリックは、第２のアンテナのための受信信号情報測定値をさらに含むことができ得る。
【００１０】
パワー制御ビットが、基地局から受信されることができ得る。第１のメトリックは、受信されたパワー制御ビットに応じて調整されることができ得る。第２のメトリックは、受信されたパワー制御ビットに応じて調整されることができ得る。最適なアンテナは、第２の検定期間が始まる前の第２のドウェリング期間の間に送信するために使用されることができ得る。
【００１１】
第１の検定期間は、第２のメトリックが、検定閾値だけ、第１のメトリックより悪い場合、早めに終了させられることができ得る。第１のドウェリング期間も、また、第１のメトリックが、ドウェリング時間閾値の間にドウェリングメトリック閾値を超えてより悪い場合、早めに終了させられることができる。第１のドウェリング期間は、チャネルのバリエーションに応じて適応させられることができ得る。第１のドウェリング期間は、第１のアンテナが最適なアンテナとして連続して選択され、第１のドウェリング期間が最大ドウェリング期間でない場合、ドウェリング期間延長スケーリングファクター（extension scaling factor）によって増加させられることができ得る。第１のドウェリング期間は、異なるアンテナが前のドウェリング期間の間の最適なアンテナとして選択され、第１のドウェリング期間が最小ドウェリング期間でない場合、ドウェリング期間減少スケーリングファクターによって減じられることができ得る。
【００１２】
最適なアンテナを選択することは、より良好なメトリックを有するアンテナを選択することを含むことができ得る。ＲＦチェーンは、単一のパワー増幅器を含むことができ得る。ＲＦチェーンは、また、デジタルアナログコンバータ（ＤＡＣ）、無線周波数（ＲＦ）ミキサ、励振増幅器、および単一のパワー増幅器を含むこともでき得る。
【００１３】
アンテナを選択するように構成された無線デバイスが、説明される。無線デバイスは、プロセッサおよびプロセッサと電子通信するメモリを含む。無線デバイスは、また、メモリに記憶された命令を含む。命令は、第１のドウェリング期間の間に第１のメトリックおよび無線周波数（ＲＦ）チェーンを有する第１のアンテナを使用して送信するために、プロセッサによって実行可能である。命令は、また、第１の検定期間の間に第２のメトリックを有する第２のアンテナを使用して送信することにスイッチするために、実行可能である。第２のアンテナは、第１のアンテナと同一のＲＦチェーンを使用する。命令は、最適なアンテナを決定するために第２のメトリックと第１のメトリックを比較するためにさらに実行可能である。命令は、また、最適なアンテナを選択するために実行可能である。
【００１４】
アンテナを選択するように構成された装置も、説明される。該装置は、第１のドウェリング期間の間に第１のメトリックおよび無線周波数（ＲＦ）チェーンを有する第１のアンテナを使用して送信するための手段を含む。装置は、第１の検定期間の間に第２のメトリックを有する第２のアンテナを使用して送信することにスイッチするための手段も含む。第２のアンテナは、第１のアンテナと同一のＲＦチェーンを使用する。装置は、最適なアンテナを決定するために第２のメトリックと第１のメトリックを比較するための手段をさらに含む。装置は、最適なアンテナを選択するための手段も含む。
【００１５】
アンテナを選択するためのコンピュータプログラム製品が説明される。該コンピュータプログラム製品は、命令を有するコンピュータ可読媒体を含む。該命令は、第１のドウェリング期間の間に第１のメトリックおよび無線周波数（ＲＦ）チェーンを有する第１のアンテナを使用して送信するためのコードを含む。命令は、第１の検定期間の間に第２のメトリックを有する第２のアンテナを使用して送信することにスイッチするためのコードも含む。第２のアンテナは、第１のアンテナと同一のＲＦチェーンを使用する。命令は、最適なアンテナを決定するために第２のメトリックと第１のメトリックを比較するためのコードをさらに含む。命令は、最適なアンテナを選択するためのコードも含む。
【詳細な説明】
【００１６】
図１は、基地局１０２と無線通信する移動デバイス１０４を含むシステム１００を示している。基地局１０２は、複数の移動デバイス１０４と通信する固定局であることができ得る。移動デバイス１０４は、携帯電話、無線ネットワークカード、ラップトップ、無線通信可能な携帯電子デバイス、等といった移動局であることができ得る。
【００１７】
基地局１０２は、移動デバイス１０４の各々と通信することができ得る。たとえば、基地局１０２は、ダウンリンク送信１１６で移動デバイス１０４に通信を送ることができ得る。同様に、移動デバイス１０４は、アップリンク送信１１４で基地局１０２に通信を送ることができ得る。基地局１０２は、１つ以上のアンテナ１１８（１１８ａ乃至１１８ｎ）を有することができ得る。
【００１８】
複数の移動デバイス１０４が、単一の基地局１０２と、または、複数の基地局（図示せず）と、しかし、任意の所与の時間には１つのサービング基地局１０２のみと、通信することができ得る。したがって、基地局１０２は、同一の時間フレーム中に２つ以上の移動デバイス１０４からの送信を受信するように設計されることができ得る。そのような通信は、アップリンク方向のパラレル送信１１４と呼ばれることができ得る。
【００１９】
移動デバイス１０４および基地局１０２は、無線通信のためのさまざまな技術を使用することができ得る。１つの構成において、移動デバイス１０４および基地局１０２は、通信接続技術として、符号分割多元接続（ＣＤＭＡ）または広帯域符号分割多元接続（Ｗ−ＣＤＭＡ）を使用することができ得る。ＣＤＭＡまたはＷ−ＣＤＭＡのいずれかを用いる基地局１０２は、移動デバイス１０４の送信パワーを制御するために、パワー制御を使用することができ得る。パワー制御において、基地局１０２は、移動デバイス１０４に、フレームの各スロットにおいて、（図２に示す）パワー制御ビットを送ることができ得る。たとえば、１５個のスロットを含むフレームは、１５個のパワー制御ビットを有することができ得る。パワー制御ビットは、アップリンク送信１１４のための移動デバイス１０４の送信パワーを増加または減少させるように移動デバイス１０４に命令することができ得る。たとえば、パワー制御ビットは、１デシベル（ｄＢ）だけ、送信パワーをインクリメンタルに（incrementally）増加させるように、移動デバイス１０４に命令することができ得る。
【００２０】
移動デバイス１０４は、ある特定の送信パワーを有するアンテナ１１２を使用して、基地局１０２にアップリンク送信１１４を送ることができ得る。たとえば、移動デバイス１０４は、０ｄＢｍ（１ミリワット（ｍＷ）を基準とした、測定パワーのｄＢでのパワー比）の送信パワーを有するアンテナ１１２を使用して、基地局１０２に送信を送ることができ得る。すなわち、アンテナ１１２からの放射パワーは、１ｍＷであることができ得る。
【００２１】
基地局１０２は、基地局１０２によって受信された信号強度が不十分な場合、送信パワーを増加させるように移動デバイス１０４に命令することができ得る。たとえば、移動デバイス１０４および基地局１０２間での損失（loss）は、移動デバイス１０４による追加の送信パワーが必要とされるようにし得る。同様に、基地局１０２は、基地局１０２によって受信された信号強度が必要とされるより大きい場合、送信パワーを減少させるように移動デバイスに命令することができ得る。
【００２２】
移動デバイス１０４は、２つ以上のアンテナ１１２（１１２ａ乃至１１２ｎ）を含むことができ得る。たとえば、移動デバイス１０４は、基地局１０２に通信を送り、および／または、基地局１０２から通信を受信するために使用される、２つのアンテナ１１２を含むことができ得る。１つの構成において、移動デバイス１０４は、一度に１つのアンテナ１１２のみを使用して基地局１０２に通信を送信することができ得る。たとえば、移動デバイス１０４の第１のアンテナ１１２ａは、移動デバイス１０４の第２のアンテナ１１２ｂが基地局１０２と通信を送受信することができ得る間、送信ではスイッチオフにされる（switched off）ことができ得るが、受信ではスイッチオンにされた（switched on）ままである。
【００２３】
移動デバイス１０４のアンテナ１１２は、送信のために使用される同一の無線周波数（ＲＦ）チェーン１１０を共有することができ得る。ＲＦチェーン１１０は、図２に関連して以下にさらに詳細に論じられる。ＲＦチェーン１１０は、ベースバンド１０８から、送信用の信号を受け取ることができ得る。ベースバンド１０８は、モバイル・トランスミット・ダイバーシチ・アンテナ・スイッチング（ＭＴＤ−ＡＳ：mobile transmit diversity-antenna switching）アルゴリズムを使用することができ得る。ＭＴＤ−ＡＳアルゴリズムは、移動デバイス１０４のアンテナ１１２のためのスイッチング制御１０６を提供することができ得る。たとえば、ＭＴＤ−ＡＳアルゴリズムは、そのようなスイッチが性能を増すことができ得るのであれば、常に、送信のための異なるアンテナ１１２にスイッチすることができ得る。基地局１０２がパワー制御をすでに使用することができ得るので、基地局１０２からの追加のフィードバックが、ＭＴＤ−ＡＳのために要求されないことができ得る。さらに、ＭＴＤ−ＡＳの使用は、基地局１０２にトランスペアレントであることができ得るので、基地局１０２に対する変更は、移動デバイス１０４がＭＴＤ−ＡＳアルゴリズムを使用するために必要とされないことができ得る。
【００２４】
移動デバイス１０４のアンテナ１１２は、同一の構造および構成を有することができ、または、それら１１２は、異なる構造および構成を有することができ得る。１つの構成において、移動デバイス１０４の各アンテナ１１２は、同一の利得を有することができ得る。移動デバイス１０４の各アンテナ１１２は、移動デバイス１０４において異なる位置に位置することができ得る。たとえば、第１のアンテナ１１２ａは、移動デバイス１０４の一端に位置することができ、第２のアンテナ１１２ｂは、移動デバイス１０４の反対端に位置することができ得る。したがって、各アンテナ１１２からの送信は、移動デバイス１０４から基地局１０２へ、異なる伝送路を経て進むことができ得る。たとえば、第１のアンテナ１１２ａからの送信が、移動デバイス１０４のユーザーの手または体によって妨害されることがあり得る。第２のアンテナ１１２ｂからの送信が、移動デバイス１０４のユーザーの手または体によって妨害されないことができ、第２のアンテナ１１２ｂからの送信が、第１のアンテナ１１２ａから基地局１０２によって受信される送信と比較して、より高い信号強度で基地局１０２によって受信されることが可能になる。
【００２５】
ＭＴＤ−ＡＳアルゴリズムの使用は、移動デバイス１０４に、最適なアンテナ１１２を決定するためにモバイル・トランスミット・ダイバーシチ方式を選択させ得る。たとえば、ＭＴＤ−ＡＳは、可能であれば、または、所望されれば、より良好に動作するアンテナ１１２へのスイッチングの快適さを有することができ得る。ＭＴＤ−ＡＳは、また、バックアップアンテナ１１２に頼ることができる移動デバイス１０４の能力により、フェージングおよび手／体による妨害といった不利な状況で、より堅牢であることができ得る。
【００２６】
図２は、本発明の方法および装置において使用するための移動デバイス２０４の１つの構成のコンポーネントを示すブロック図である。図１に関連して上述されたように、複数のアンテナ２１２ａ、２１２ｂを有する移動デバイス２０４は、信号の送信のためのＲＦチェーン２１０を有することができ得る。ＲＦチェーン２１０は、ＲＦミキサ２２４にベースバンド信号２２２を出力するデジタルアナログコンバータ（ＤＡＣ）２２０を含むことができ得る。ＲＦミキサ２２４は、ベースバンド信号２２２を送信周波数にアップコンバートすることができ得る。ＲＦミキサ２２４の出力は、ＲＦミキシングされた信号２３４であることができ得る。ＲＦミキシングされた信号２３４は、その次に、励振増幅信号２６６を生成するために励振増幅器２２６によって増幅されることができ得る。励振増幅信号２６６は、パワー増幅信号２６８を生成するためにパワー増幅器２２８によって増幅されることができ得る。他のダイバーシチ方式では、複数のパワー増幅器２２８を有する複数のＲＦチェーン２１０が使用されることができ得る。ＭＴＤ−ＡＳでは、単一のパワー増幅器２２８を有する単一のＲＦチェーン２１０のみが必要であることができ、ＭＴＤ−ＡＳに簡易性という利点を付加する。
【００２７】
スイッチ２２９が、その次に、どのアンテナ２１２がパワー増幅信号２６８を送信するかを決定することができ得る。スイッチ２２９は、スイッチ制御２７０を使用するスイッチ制御モジュール２５６によって制御されることができ得る。第１のアンテナ２１２ａが選択されると、信号２２２は、第１のフィルタ２３０ａを使用して送信の前にフィルタリングされることができ得る。第１のフィルタ２３０ａは、国際携帯電話通信（ＩＭＴ：International Mobile Telecommunications）デュプレクサであることができ得る。同様に、第２のアンテナ２１２ｂが選択されると、信号２２２は、第２のフィルタ２３０ｂを使用して送信の前にフィルタリングされることができ得る。ＩＭＴデュプレクサが、各帯域のために必要とされることができ、ここでは、ＭＴＤ（モバイル・トランスミット・ダイバーシチ）が望ましい。すなわち、フィルタ２３０は、移動デバイス２０４によって使用される各アンテナ２１２のための各帯域のために要求されることができ得る。第２のフィルタ２３０ｂは、ＩＭＴデュプレクサであることができ得る。
【００２８】
スイッチ制御モジュール２５６は、アンテナ２１２間をスイッチすべきときを決定することができ得る。スイッチ制御モジュール２５６は、アンテナ２１２の各々のための送信のための１つ以上のメトリック２３２を含むことができ得る。スイッチ制御モジュール２５６は、第１のアンテナのためのメトリック２３２および第２のアンテナのためのメトリック２３２を含むことができ得る。追加のメトリックが追加のアンテナのために使用されることができ得る。たとえば、送信のためのメトリック２３２は、アンテナ２１２によって使用される合計パワー、ＴｘＡＧＣ２６０であることができ得る。送信のためのメトリック２３２は、送信パイロットパワー、Ｔｘパイロットパワー２６２であることもでき得る。Ｔｘパイロットパワー２６２は、各アンテナ２１２および基地局１０２間のチャネルを表すことができ得る。送信のためのメトリック２３２は、アンテナ２１２によって使用される合計受信パワーのような受信信号情報２６４を含むこともでき得る。
【００２９】
スイッチ制御モジュール２５６は、メトリック比較モジュール２３６を含むこともでき得る。メトリック比較モジュール２３６は、スイッチ制御モジュール２５６が各アンテナのメトリックに基づいて最適なアンテナ２１２を決定するのを補助することができ得る。
【００３０】
スイッチ制御モジュール２５６は、ドウェリング期間の持続時間２５０および仮説検定期間の持続時間２５２を含むことができ得る。仮説検定期間の持続時間２５２は、デフォルトの、その間に仮説検定が起こる時間のプリセット量であることができ得る。あるいは、仮説検定期間の持続時間２５２は、アンテナメトリック２３２が、メトリック比較モジュール２３６が送信のための最適なアンテナ２１２を決定するのに十分区別されるのであればいつでも、より短いことができ得る。あるいはまた、仮説検定期間の持続時間２５２は、アンテナメトリック２３２が、メトリック比較モジュール２３６が送信のための最適なアンテナ２１２を決定するのに十分区別されないのであればいつでも、より長いことができ得る。仮説検定は、図３に関連して以下にさらに詳細に説明される。ドウェリング期間の持続時間２５０は、スイッチ制御モジュール２５６が仮説検定に戻る前にアップリンク送信１１４のためにアンテナ２１２を使用する時間の量であることができ得る。ドウェリング期間の持続時間２５０は、プリセット値であることができ得る。あるいは、ドウェリング期間の持続時間２５０は、仮説検定の条件によって異なることができ得る。たとえば、ドウェリング期間の持続時間２５０は、ドウェリング期間減少スケーリンファクター２４２によって、最小ドウェリング期間２４８まで減少させられることができ、または、ドウェリング期間延長スケーリングファクター２４４によって、最大ドウェリング期間２４６まで増加させられることができ得る。ドウェリング期間の持続時間２５０は、デフォルト設定のドウェリング期間の持続時間２５４にリセットされることもでき得る。デフォルト設定のドウェリング期間の持続時間２５４は、ドウェリング期間の持続時間２５０のためのプリセット値であることができ得る。
【００３１】
スイッチ制御モジュール２５６は、検定閾値２５８を含むことができ得る。検定閾値２５８は、プリセット閾値であることができ得る。検定閾値２５８は、ドウェリング期間中に第１のアンテナ２１２ａを使用することから仮説検定期間中に第２のアンテナ２１２ｂを使用することにスイッチする際の送信パワーの最大増加量（maximum increase）を規定することができ得る。第２のアンテナ２１２ｂの送信パワーが、仮説検定期間中に、少なくとも検定閾値２５８だけ、前のドウェリング期間における第１のアンテナ２１２ａの送信パワーよりも大きい場合、スイッチ制御モジュール２５６は、ドウェリング期間の間に、第２のアンテナ２１２ｂを使用することから、第１のアンテナ２１２ａを使用することにスイッチすることができ得る。
【００３２】
スイッチ制御モジュール２５６は、ドウェリングメトリック閾値２３８およびドウェリング時間閾値２４０を含むことができ得る。ドウェリングメトリック閾値２３８は、仮説検定期間が自動でトリガされる前のドウェリング期間中のアンテナ２１２の送信パワーに対する最大増加量を規定することができ得る。仮説検定期間は、アンテナ２１２の送信パワーが、ドウェリング時間閾値２４０と呼ばれる時間量の間に、少なくともドウェリングメトリック閾値２３８だけ、現在のドウェリング期間でのアンテナ２１２の平均送信パワーを上回ったままであると、自動でトリガされることができ得る。
【００３３】
図１に関連して上述されたように、移動デバイス２０４は、受信パワー制御ビット２７２を含むことができ得る。移動デバイスは、基地局１０２からパワー制御ビット２７２を受信することができ得る。パワー制御ビット２７２は、アンテナ２１２のためのアンテナメトリック２３２を調整するように移動デバイス２０４に命令することができ得る。
【００３４】
図３は、移動デバイス１０４によって最適なアンテナ１１２を決定するためのパワー制御ベースの仮説検定のためのタイミングチャート３００を示している。移動デバイス１０４は、第１のアンテナ１１２ａを使用して、基地局１０２に送信を送ることができ得る３０５。移動デバイス１０４は、その次に、仮説検定期間３０３ａの間に第２のアンテナ１１２ｂを使用して基地局１０２に送信を送ること３０７にスイッチすることができ得る３０１ａ。検定期間３０３は、仮説検定期間の持続時間２５２の持続時間を有することができ、ｔと呼ばれることができ得る。検定期間３０３において、移動デバイス１０４は、代替のアンテナ１１２の使用が有益であることができ得るかどうかを検定することができ得る。図１に関連して上述されたように、移動デバイス１０４は、移動デバイス１０４が送信パワーを増加させるべきか送信パワーを減じるべきかどうかを示す、基地局１０２からのパワー制御ビット２７２を受信することができ得る。
【００３５】
第２のアンテナ１１２ｂのための送信パワーは、前のドウェリング期間からの第１のアンテナ１１２ａのための送信パワーよりも大きいことができ得る。たとえば、第２のアンテナ１１２ｂから基地局１０２への伝送経路が、第１のアンテナ１１２ａから基地局１０２への伝送経路と比較すると、追加の伝搬損失を含むことができ得る。基地局１０２は、移動デバイス１０４が第２のアンテナ１１２ｂのための送信パワーを上げるべきであることを示す、移動デバイス１０４へのパワー制御ビット２７２を送ることができ得る。検定期間３０３ａからの第２のアンテナ１１２ｂのための送信パワーが、前のドウェリング期間からの第１のアンテナ１１２ａのための送信パワーよりも大きい場合、移動デバイス１０４は、スイッチして３０１ｂ、第１のアンテナ１１２ａを使用して送信すること３０９に戻ることができ得る。移動デバイス１０４は、その次に、ドウェリング期間３１７ａ（Ｐ）の間に、第１のアンテナ１１２ａを使用して、送信することができ得る３０９。ドウェリング期間の持続時間２５０は、あらかじめ規定された量の時間であることができ得る。
【００３６】
ひとたびドウェリング期間３１７ａが経過すると、移動デバイス１０４は、第２のアンテナ１１２ｂを使用して送信すること３１１にスイッチすることができ得る３０１ｃ。移動デバイス１０４は、検定期間３０３ｂの間に、第２のアンテナ１１２ｂを使用して送信すること３１１にスイッチすることができ得る３０１ｃ。検定期間３０３ｂからの第２のアンテナ１１２ｂのための送信パワーが、前のドウェリング期間３１７ａからの第１のアンテナ１１２ａのための送信パワーよりも小さい場合、移動デバイス１０４は、第２のアンテナ１１２ｂを使用して送信し続けることができ得る３１１。移動デバイス１０４は、ドウェリング期間３１７ｂの間に、第２のアンテナ１１２ｂを使用して、送信することができ得る３１１。ドウェリング期間３１７ｂは、移動デバイス１０４が、第２のアンテナ１１２ｂを使用して送信すること３１１に最初にスイッチしたときに３０１ｃ、始まることができ得る。したがって、ドウェリング期間３１７ｂと検定期間３０３ｂは、同時に進むことができ得る。あるいは、ドウェリング期間３１７ｂは、仮説検定期間３０３ｂの終了時に始まることができ得る。
【００３７】
ドウェリング期間３１７ｂの終了時に、移動デバイス１０４は、第２のアンテナ１１２ｂを使用して送信すること３１１から、第１のアンテナ１１２ａを使用して送信すること３１３に、スイッチすることができ得る３０１ｄ。検定期間３０３ｃの後、移動デバイス１０４は、第２のアンテナ１１２ｂのために使用される送信パワーと第１のアンテナ１１２ａのために使用される送信パワーを、再び比較することができ得る。前のドウェリング期間３１７ｂからの第２のアンテナ１１２ｂのための送信パワーが、第１のアンテナ１１２ａのための送信パワーよりも小さい場合、移動デバイス１０４は、スイッチして３０１ｅ、第２のアンテナ１１２ｂを使用して送信すること３１５に戻ることができ得る。
【００３８】
図４は、仮説検定を使用するパワー制御ベースのアンテナスイッチングのための方法４００を示すフローチャートである。移動デバイス１０４は、第１のアンテナ１１２ａを使用して信号を送信することができ得る４０２。移動デバイス１０４は、その次に、第２のアンテナ１１２ｂを使用して信号を送信することにスイッチすることができ得る４０４。移動デバイス１０４は、第２のアンテナメトリック２３２が前のドウェリング期間からの第１のアンテナメトリック２３２よりも良好かどうかを決定することができ得る４０６。メトリック２３２は、図２に関連してより詳細に上述されている。第２のアンテナメトリック２３２が第１のアンテナメトリック２３２よりも良好でない場合、移動デバイス１０４は、第１のアンテナ１１２ａを使用して信号を送信することにスイッチすることができ得る４１０。移動デバイスは、その次に、第１のアンテナ１１２ａを使用して信号を送信することができ得る４０２。第２のアンテナメトリック２３２が第１のアンテナメトリック２３２よりも良好である場合、移動デバイス１０４は、第２のアンテナを使用して送信し続けることができ４０８、その次に、第１のアンテナ１１２ａおよび第２のアンテナ１１２ｂを入れ替えてステップ４０４でのプロセスフローに戻ることができ得る４１２。たとえば、第１のアンテナ１１２ａおよび第２のアンテナ１１２ｂを入れ替えた後、ステップ４０６の決定は、第１のアンテナメトリック２３２が第２のアンテナメトリック２３２よりも良好かどうかを決定するであろうし４０６、ステップ４１０は、第２のアンテナを使用して信号を送信することにスイッチするであろう４１０。ステップ４１２が再び行われたなら、第１のアンテナおよび第２のアンテナは、ステップ４０４でのプロセスフローに戻る前に、再び入れ替えられるであろう。こうして、示されたように、図４のプロセスは、２つのアンテナ間を行ったり来たりスイッチして、何度も繰り返されることができ得る。
【００３９】
上述された図４の方法４００は、図４Ａにおいて示されたミーンズ・プラス・ファンクション・ブロック４００Ａに対応する、さまざまなハードウェアおよび／または（単数または複数の）ソフトウェアコンポーネントおよび／または（単数または複数の）モジュールによって、行われることができ得る。すなわち、図４において示されたブロック４０２乃至４１０は、図４Ａにおいて示されたミーンズ・プラス・ファンクション・ブロック４０２Ａ乃至４１０Ａに対応する。
【００４０】
図５は、仮説検定を使用したパワー制御ベースのアンテナスイッチングのための代替の方法５００を示したフローチャートである。移動デバイス１０４は、送信のための第１のアンテナ１１２ａにスイッチすることができ得る５０２。移動デバイス１０４は、ドウェリング期間の一部として、第１の送信パワーを有する第１のアンテナ１１２ａを使用して信号を送信することができ得る５０６。移動デバイス１０４は、基地局１０２に信号を送信することができ得る５０６。移動デバイス１０４は、その次に、ドウェリング期間が経過したかどうかを決定することができ得る５０８。
【００４１】
ドウェリング期間が経過していない場合、移動デバイス１０４は、基地局１０２からパワー制御ビット２７２を受信することができ得る５１０。パワー制御ビット２７２は、図２に関連して上述されている。移動デバイス１０４は、受信されたパワー制御ビット２７２に応じて、第１の送信パワーを調整することができ得る５１２。たとえば、移動デバイス１０４は、受信されたパワー制御ビット２７２に応じて、第１の送信パワーを増減させることができ得る。移動デバイス１０４は、その次に、ドウェリング期間の一部として、第１の送信パワーを有する第１のアンテナ１１２ａを使用して信号を送信すること５０６に戻ることができ得る。
【００４２】
ドウェリング期間が経過している場合、移動デバイス１０４は、送信のための第２のアンテナ１１２ｂにスイッチすることができ得る５１４。移動デバイス１０４は、次に、検定期間の一部として、第２の送信パワーを有する第２のアンテナ１１２ｂを使用して信号を送信することができ得る５１６。
【００４３】
移動デバイス１０４は、検定期間が経過したかどうかを決定することができ得る５２０。検定期間が経過していない場合、移動デバイス１０４は、基地局１０２からパワー制御ビット２７２を受信することができ得る５２２。移動デバイス１０４は、その次に、受信されたパワー制御ビット２７２に応じて、第２の送信パワーを調整することができ得る５２４。検定期間が経過している場合、移動デバイス１０４は、第２の送信パワーが前のドウェリング期間の第１の送信パワーよりも小さいかどうかを決定することができ得る５２６。第２の送信パワーが第１の送信パワーよりも小さくない場合、移動デバイス１０４は、送信のための第１のアンテナにスイッチすることができ得る５０２。第２の送信パワーが第１の送信パワーよりも小さい場合、移動デバイス１０４は、第１のアンテナ１１２ａおよび第２のアンテナ１１２ｂを入れ替えてステップ５０６でのプロセスフローに戻ることができ得る５２８。たとえば、ステップ５１６は、検定期間の一部として、第１の送信パワーを有する第１のアンテナ１１２ａを使用して信号を送信するであろう５１６。このように、示されたように、図５のプロセスは、２つのアンテナ間を行ったり来たりスイッチして、何度も繰り返されることができ得る。
【００４４】
上述された図５の方法５００は、図５Ａに示すミーンズ・プラス・ファンクション・ブロック５００Ａに対応する、さまざまなハードウェアおよび／または（単数または複数の）ソフトウェアコンポーネントおよび／または（単数または複数の）モジュールによって行われることができ得る。すなわち、図５に示されたブロック５０２乃至５２８は、図５Ａに示したミーンズ・プラス・ファンクション・ブロック５０２Ａ乃至５２８Ａに対応する。
【００４５】
図６は、移動デバイス１０４によって最適なアンテナを決定するための仮説検定を使用したパワー制御ベースのアンテナスイッチングの別の構成のためのタイミングチャート６００を示している。移動デバイス１０４は、第１のアンテナ１１２ａを使用して基地局１０２に送信を送ることができ得る６０５。別の構成において、本システムおよび方法は、別の移動局と直接的に通信する移動局によって使用されることができ、基地局は必要とされない。このように、ここでの例は、基地局１０２および移動デバイス１０４を示しているが、本システムおよび方法は、基地局１０２を必要としないことができ得る他のタイプの無線通信システムにおいて使用されることができ得る。
【００４６】
そして、移動デバイス１０４は、検定期間６０３の間に第２のアンテナ１１２ｂを使用して基地局１０２に送信を送ること６０７にスイッチすることができ得る６０１ａ。検定期間６０３からの第２のアンテナ１１２ｂのための送信パワーが前のドウェリング期間からの第１のアンテナ１１２ａのための送信パワーよりも大きい場合、移動デバイス１０４は、第１のアンテナ１１２ａを使用して送信すること６０９にスイッチすることができ得る６０１ｂ。そして、移動デバイス１０４は、ドウェリング期間６１７の間に第１のアンテナ１１２ａを使用して送信することができ得る６０９。
【００４７】
ひとたびドウェリング期間６１７が経過すると、移動デバイス１０４は、検定期間の間に第２のアンテナ１１２ｂを使用して送信すること６１１にスイッチすることができ得る６０１ｃ。検定期間がまだ経過しておらず、第２のアンテナ１１２ｂのための送信パワーが検定閾値２５８だけ前のドウェリング期間からの第１のアンテナ１１２ａのための送信パワーよりも大きい場合、移動デバイス１０４は、スイッチして６０１ｄ、第１のアンテナ１１２ａを使用して送信すること６１５に戻ることができ得る。移動デバイス１０４は、検定期間が経過する前に、スイッチして６０１ｄ、第１のアンテナ１１２ａを使用して送信すること６１５に戻ることができ得る。
【００４８】
図７は、仮説検定を使用したパワー制御ベースのアンテナスイッチングのための別の方法７００を示すフローチャートである。移動デバイス１０４は、送信のための第１のアンテナ１１２ａにスイッチすることができ得る７０２。移動デバイス１０４は、ドウェリング期間の一部として、第１のアンテナメトリック２３２を有する第１のアンテナを使用して信号を送信することができ得る７０６。１つの構成において、移動デバイス１０４は、基地局１０２に信号を送信することができ得る７０６。そして、移動デバイス１０４は、ドウェリング期間が経過したかどうかを決定することができ得る７０８。
【００４９】
ドウェリング期間が経過していない場合、移動デバイス１０４は、基地局１０２からパワー制御ビット２７２を受信することができ得る７１０。移動デバイス１０４は、受信されたパワー制御ビット２７２に応じて第１のアンテナメトリック２３２を調整することができ得る７１２。そして、移動デバイス１０４は、第１のアンテナメトリック２３２を有する第１のアンテナ１１２ａを使用して信号を送信すること７０６に戻ることができ得る。
【００５０】
ドウェリング期間が満了していた場合、移動デバイス１０４は、送信のための第２のアンテナ１１２ｂにスイッチすることができ得る７１４。次に、移動デバイス１０４は、検定期間の一部として、第２のアンテナメトリック２３２を有する第２のアンテナ１１２ｂを使用して信号を送信することができ得る７１６。
【００５１】
移動デバイス１０４は、検定期間が経過したかどうかを決定することができ得る７２０。検定期間が経過していなかった場合、移動デバイス１０４は、第２のアンテナメトリック２３２が、検定閾値２５８だけ前のドウェリング期間からの第１のアンテナメトリック２３２よりも悪いかどうかを決定することができ得る７２１。第２のアンテナメトリック２３２が検定閾値２５８だけ第１のアンテナメトリック２３２よりも悪い場合、移動デバイス１０４は、送信のための第１のアンテナ１１２ａにスイッチすることができ得る７０２。
【００５２】
第２のアンテナメトリック２３２が検定閾値２５８だけ第１のアンテナメトリック２３２よりも悪くなかった場合、移動デバイス１０４は、基地局１０２からパワー制御ビット２７２を受信することができ得る７２２。そして、移動デバイス１０４は、受信されたパワー制御ビット２７２に応じて第２のアンテナメトリック２３２を調整することができ７２４、検定期間の一部として、第２のアンテナメトリック２３２を有する第２のアンテナ１１２ｂを使用して信号を送信すること７１６に戻ることができ得る。
【００５３】
仮説検定期間が経過していた場合、移動デバイス１０４は、第２のアンテナメトリック２３２が前のドウェリング期間からの第１のアンテナメトリック２３２よりも良好かどうかを決定することができ得る７２６。第２のアンテナメトリック２３２が第１のアンテナメトリック２３２よりも良好でない場合、移動デバイスは送信のための第１のアンテナ１１２ａにスイッチすることができ得る７０２。第２のアンテナメトリック２３２が第１のアンテナメトリック２３２よりも良好な場合、移動デバイス１０４は、第１のアンテナ１１２ａおよび第２のアンテナ１１２ｂを入れ替えてステップ７０６でのプロセスフローに戻ることができ得る７２８。たとえば、ステップ７１６は、検定期間の一部として第１のアンテナメトリックを有する第１のアンテナ１１２ａを使用して信号を送信すること７１６となるであろう。このようにして、示されたように、図７のプロセスは、２つのアンテナ間を行ったり来たりスイッチして、何度も繰り返されることができる。
【００５４】
上述された図７の方法７００は、図７Ａに示すミーンズ・プラス・ファンクション・ブロック７００Ａに対応する、さまざまなハードウェアおよび／または（単数または複数の）ソフトウェアコンポーネントおよび／または（単数または複数の）モジュールによって行われることができ得る。すなわち、図７に示されたブロック７０２乃至７２８は、図７Ａに示したミーンズ・プラス・ファンクションブロック７０２Ａ乃至７２８Ａに対応する。
【００５５】
図８は、仮説検定を使用したパワー制御ベースのアンテナスイッチングの別の構成のためのタイミングチャート８００を示している。移動デバイス１０４は、基地局１０２に第１の送信パワーを有する第１のアンテナ１１２ａを使用して信号を送信することができ得る８０５。そして、移動デバイス１０４は、検定期間８０３ａの一部として、基地局１０２への送信８０７のために第２のアンテナ１１２ｂにスイッチすることができ得る８０１ａ。移動デバイス１０４は、第２の送信パワーを有する第２のアンテナ１１２ｂを使用して信号を送信することができ得る８０７。移動デバイス１０４は、検定期間８０３ａの持続時間の間に、第２のアンテナ１１２ｂを使用して信号を送信することができ得る８０７。検定期間８０３ａの終了時に、移動デバイス１０４は、第２の送信パワーと、前のドウェリング期間からの第１の送信パワーを比較することができ得る。第２の送信パワーが第１の送信パワーよりも大きい場合、移動デバイス１０４は、ドウェリング期間の一部として、基地局への送信８０９のために第１のアンテナ１１２ａにスイッチすることができ得る８０１ｂ。
【００５６】
ドウェリング期間の一部としての第１のアンテナ１１２ａによる信号の送信８０９の間、移動デバイス１０４は、基地局１０２からパワー制御ビット２７２を受信することができ得る。パワー制御ビット２７２に基づいて、第１のアンテナ１１２ａのための第１の送信パワーは増加することができ得る。第１の送信パワーがドウェリング時間閾値２４０の間にドウェリングメトリック閾値２３８を超えて増加した場合、ドウェリング期間は、早めに終了させられることができ得る。移動デバイス１０４は、検定期間８０３ｂの一部として基地局への送信８１１のために第２のアンテナ１１２ｂにスイッチすることができ得る８０１ｃ。移動デバイス１０４は、検定期間８０３ｂの持続時間の間に、第２のアンテナ１１２ｂを使用して信号を送信することができ得る８１１。検定期間８０３ｂの終了時に、移動デバイス１０４は、第２のアンテナ１１２ｂのための第２の送信パワーと、前のドウェリング期間からの第１のアンテナ１１２ａのための第１の送信パワーを比較することができ得る。第１の送信パワーが第２の送信パワーよりも大きい場合、移動デバイス１０４は、第２のアンテナ１１２ｂを使用して信号を送信し続けることができ得る８１１。
【００５７】
図９は、仮説検定を使用したパワー制御ベースのアンテナスイッチングのためのシステムの一部としてのドウェリング期間の持続時間２５０を増減するための構成のタイミングチャート９００を示している。ドウェリング期間の持続時間２５０は、アンテナ１１２が最適なアンテナとして選択されている連続した時間の数に依存することができ得る。ドウェリング期間の持続時間２５０は、また、異なるアンテナ１１２が最適なアンテナとして選択されている連続したドウェリング期間９１７の数に依存することができ得る。
【００５８】
移動デバイス１０４は、検定期間９０３ａの間、第２のアンテナ１１２ｂを使用して基地局１０２に送信を送ることができ得る９０７。ひとたび検定期間９０３ａが経過すると、移動デバイス１０４は、前のドウェリング期間からの第１のアンテナ１１２ａの送信パワーと、第２のアンテナ１１２ｂのための送信パワーを比較することができ、最適なアンテナとして、より小さい送信パワーを有するアンテナ１１２を選択することができ得る。第１のアンテナ１１２ａのための送信パワーが第２のアンテナ１１２ｂのための送信パワーよりも小さい場合、移動デバイス１０４は、最適なアンテナとして第１のアンテナ１１２ａを選択することができ得る。移動デバイス１０４は、第１のアンテナ１１２ａを使用することにスイッチすることができ得る９０１ａ。そして、移動デバイス１０４は、第１のドウェリング期間Ｐ１９１７ａの一部として第１のアンテナ１１２ａを使用して信号を送信することができ得る９０９。第１のドウェリング期間９１７ａの持続時間は、デフォルトのドウェリング期間の持続時間２５４であることができ得る。
【００５９】
ひとたび第１のドウェリング期間Ｐ１９１７ａが経過すると、移動デバイス１０４は、検定期間９０３ｂの一部として第２のアンテナ１１２ｂを使用して信号を送信すること９１１にスイッチすることができ得る９０１ｂ。ひとたび検定期間９０３ｂが経過すると、移動デバイス１０４は、最適なアンテナを決定するために、第１のドウェリング期間Ｐ１９１７ａからの第１のアンテナ１１２ａの送信パワーと、第２のアンテナ１１２ｂの送信パワーを再び比較することができ得る。第１のアンテナ１１２ａの送信パワーが再び、第２のアンテナ１１２ｂの送信パワーよりも小さい場合、第１のアンテナ１１２ａが、再び最適なアンテナとして選択されることができ得る。移動デバイス１０４は、スイッチして９０１ｃ、第１のアンテナ１１２ａを使用することに戻ることができ得る。そして、移動デバイス１０４は、第２のドウェリング期間Ｐ２９１７ｂの一部として第１のアンテナ１１２ａを使用して信号を送信することができ得る９１３。
【００６０】
アンテナ１１２が最適なアンテナとして連続して選択され、ドウェリング期間の持続時間２５０が最大ドウェリング期間２４６でない場合、移動デバイス１０４は、ドウェリング期間延長スケーリングファクター２４４によってドウェリング期間の持続時間２５０を増加させることができ得る。たとえば、第２のドウェリング期間の持続時間Ｐ２９１７ｂは、デフォルトのドウェリング期間の持続時間２５４にドウェリング期間延長スケーリングファクター２４４を足したものであることができ得る。ドウェリング期間延長スケーリングファクター２４４は、アンテナ１１２が最適なアンテナとして選択されている連続した時間の数に依存することができ得る。ドウェリング期間の持続時間２５０が最大ドウェリング期間２４６である場合、移動デバイス１０４は、ドウェリング期間の持続時間２５０として最大ドウェリング期間２４６を使用し続けることができ得る。
【００６１】
各ドウェリング期間の持続時間２５０は、前のドウェリング期間の持続時間２５０よりも、インクリメンタルに、長いことも、または、短いこともでき得る。あるいは、各ドウェリング期間の持続時間２５０は、前のドウェリング期間の持続時間２５０と同じであることができ得る。
【００６２】
ひとたび第２のドウェリング期間Ｐ２９１７ｂが経過すると、移動デバイス１０４は、検定期間９０３ｃの一部として、第２のアンテナ１１２ｂを使用して信号を送信すること９１５にスイッチすることができ得る９０１ｄ。ひとたび検定期間９０３ｃが経過すると、移動デバイス１０４は、第２のドウェリング期間Ｐ２９１７ｂからの第１のアンテナ１１２ａの送信パワーと、第２のアンテナ１１２ｂの送信パワーを比較することができ得る。第２のアンテナ１１２ｂの送信パワーが第１のアンテナ１１２ａの送信パワーよりも小さい場合、移動デバイス１０４は、第３のドウェリング期間Ｐ３９１７ｃの一部として第２のアンテナ１１２ｂを使用して信号を送信し続けることができ得る９１５。すなわち、移動デバイス１０４は、第３のドウェリング期間Ｐ３９１７ｃの間の最適なアンテナとして第２のアンテナ１１２ｂを選択することができ得る。第３のドウェリング期間Ｐ３９１７ｃの持続時間は、デフォルトのドウェリング期間２５４であることができ得る。第３のドウェリング期間Ｐ３９１７ｃは、仮説検定期間９０３ｃと同時に始まることができ得る。
【００６３】
ひとたび第３のドウェリング期間Ｐ３９１７ｃが経過すると、移動デバイス１０４は、検定期間９０３ｄの一部として第１のアンテナ１１２ａを使用して信号を送信すること９１９にスイッチすることができ得る９０１ｅ。ひとたび検定期間９０３ｄが経過すると、移動デバイス１０４は、第３のドウェリング期間Ｐ３９１７ｃからの第２のアンテナ１１２ｂのための送信パワーと、第１のアンテナ１１２ａのための送信パワーを比較することができ得る。第１のアンテナ１１２ａのための送信パワーが第２のアンテナ１１２ｂのための送信パワーよりも小さい場合、移動デバイス１０４は、第４のドウェリング期間Ｐ４９１７ｄの間の最適なアンテナとして第１のアンテナ１１２ａを選択することができ得る。第３のドウェリング期間Ｐ３９１７ｃのために選択された最適なアンテナが、第４のドウェリング期間Ｐ４９１７ｄのために選択された最適なアンテナと異なるので、第４のドウェリング期間Ｐ４９１７ｄの持続時間は、第３のドウェリング期間Ｐ３９１７ｃからドウェリング期間減少スケーリングファクター２４２を引いた持続時間であることができ得る。すなわち、第４のドウェリング期間Ｐ４９１７ｄの持続時間は、デフォルトのドウェリング期間の持続時間２５４からドウェリング期間減少スケーリングファクター２４２を引いたものであることができ得る。ドウェリング期間の持続時間２５０は、異なるアンテナ１１２が最適なアンテナとして選択された連続する時間の数に依存することができ得る。ドウェリング期間の持続時間２５０が最小ドウェリング期間２４８である場合、移動デバイス１０４は、ドウェリング期間の持続時間２５０として最小のドウェリング期間２４８を使用し続けることができ得る。
【００６４】
ひとたび第４のドウェリング期間Ｐ４９１７ｄが経過すると、移動デバイス１０４は、検定期間９０３ｅの一部として第２のアンテナ１１２ｂを使用して信号を送信すること９２３にスイッチすることができ得る９０１ｆ。ひとたび検定期間９０３ｅが経過すると、移動デバイス１０４は、第２のアンテナ１１２ｂのための送信パワーと、第４のドウェリング期間Ｐ４９１７ｄからの第１のアンテナ１１２ａのための送信パワーを比較することができ得る。第２のアンテナ１１２ｂのための送信パワーが第１のアンテナ１１２ａのための送信パワーよりも小さい場合、移動デバイス１０４は、第５のドウェリング期間Ｐ５９１７ｅのための最適なアンテナとして第２のアンテナ１１２ｂを選択することができ得る。第４のドウェリング期間Ｐ４９１７ｄのために選択された最適なアンテナが、第５のドウェリング期間Ｐ５９１７ｅのために選択された最適なアンテナと異なるため、第５のドウェリング期間Ｐ５９１７ｅの持続時間は、第４のドウェリング期間Ｐ４９１７ｄの持続時間からドウェリング期間減少スケーリングファクター２４２を引いたものであることができ得る。すなわち、第５のドウェリング期間Ｐ５９１７ｅの持続時間は、デフォルトのドウェリング期間の持続時間２５４からドウェリング期間減少スケーリングファクター２４２の２倍を引いたものであることができ得る。最小ドウェリング期間２４８が設定されることができ、それを超えたドウェリング期間の持続時間２５０の適用は許容されない。
【００６５】
ひとたび第５のドウェリング期間Ｐ５９１７ｅが経過すると、移動デバイス１０４は、検定期間９０３ｆの一部として、第１のアンテナ１１２ａを使用して信号を送信すること９２５にスイッチすることができ得る９０１ｇ。ひとたび検定期間９０３ｆが経過すると、移動デバイス１０４は、第１のアンテナ１１２ａのための送信パワーと、第５のドウェリング期間Ｐ５９１７ｅからの第２のアンテナ１１２ｂのための送信パワーを比較することができ得る。第２のアンテナ１１２ｂのための送信パワーが第１のアンテナ１１２ａのための送信パワーよりも小さい場合、移動デバイス１０４は、次のドウェリング期間の間の最適なアンテナとして、第２のアンテナ１１２ｂを選択することができ得る。移動デバイス１０４は、次のドウェリング期間の一部として信号を送信すること９２７にスイッチすることができ得る９０１ｈ。
【００６６】
図１０は、３つのアンテナ１１２を有する移動デバイス１０４によって最適なアンテナを決定するための仮説検定を使用したパワー制御ベースのアンテナスイッチングのためのタイミングチャート１０００を示している。移動デバイス１０４は、第１のアンテナ１１２ａを使用して基地局１０２に送信を送ることができ得る１００５。そして、移動デバイス１０４は、検定期間１００３ａの一部として第２のアンテナ１１２ｂを使用して送信を送ること１００７にスイッチすることができ得る１００１ａ。検定期間１００３ａの終了時に、移動デバイス１０４は、最適なアンテナを決定するために、前のドウェリング期間からの第１のアンテナ１１２ａの送信パワーと、第２のアンテナ１１２ｂの送信パワーを比較することができ得る。第１のアンテナ１１２ａの送信パワーが第２のアンテナ１１２ｂの送信パワーよりも小さい場合、移動デバイス１０４は、第１のアンテナ１１２ａを使用して基地局１０２に送信を送ること１００９にスイッチすることができ得る１００１ｂ。移動デバイス１０４は、ドウェリング期間１０１７ａの間に第１のアンテナ１１２ａを使用して基地局１０２に送信を送ることができ得る１００９。
【００６７】
ひとたびドウェリング期間１０１７ａが経過すると、移動デバイス１０４は、検定期間１００３ｂの一部として第３のアンテナ１１２を使用して基地局１０２に送信を送ること１０１１にスイッチすることができ得る１００１ｃ。ひとたび検定期間１００３ｂが経過すると、移動デバイス１０４は、最適なアンテナを決定するために、前のドウェリング期間１０１７ａからの第１のアンテナ１１２ａの送信パワーと、第３のアンテナ１１２の送信パワーを比較することができ得る。第３のアンテナ１１２の送信パワーが第１のアンテナ１１２ａの送信パワーよりも小さい場合、移動デバイス１０４は、最適なアンテナとして第３のアンテナ１１２を選択することができ得る。移動デバイス１０４は、ドウェリング期間１０１７ｂの間に第３のアンテナ１１２を使用して基地局１０２に送信を送り続けることができ得る１０１１。ドウェリング期間１０１７ｂは、仮説検定期間１００３ｂの開始と同時に始まることができ得る。
【００６８】
ひとたびドウェリング期間１０１７ｂが経過すると、移動デバイス１０４は、検定期間１００３ｃの一部として第２のアンテナ１１２ｂを使用して基地局１０２に送信を送ること１０１３にスイッチすることができ得る１００１ｄ。あるいは、移動デバイス１０４は、仮説検定期間の一部として第１のアンテナ１１２ａを使用して基地局１０２に送信を送ることにスイッチすることができ得る。
【００６９】
図１０Ａは、３つのアンテナを有する移動デバイスによって最適なアンテナを決定するための仮説検定を使用したパワー制御ベースのアンテナスイッチングのための代替のタイミングチャート１０００Ａを示している。移動デバイス１０４は、第１のアンテナ１１２ａを使用して基地局１０２に送信を送ることができ得る１０２９。そして、移動デバイス１０４は、第１の検定期間１０４１ａの一部として第２のアンテナ１１２ｂを使用して送信を送ること１０３１にスイッチすることができ得る１０４５ａ。第１の検定期間１０４１ａの終了時に、移動デバイス１０４は、第２の検定期間１０４１ｂの一部として第３のアンテナ１１２を使用して送信を送ること１０３３にスイッチすることができ得る１０４５ｂ。第２の検定期間１０４１ｂの終了時に、移動デバイス１０４は、第３の検定期間１０４１ｃの一部として第１のアンテナ１１２ａを使用して送信を送ること１０３５にスイッチすることができ得る１０４５ｃ。移動デバイス１０４は、最適なアンテナとしてアンテナ１１２を選択する前に利用可能なアンテナ１１２の各々の間をスイッチすることができ得る１０４５。あるいは、移動デバイス１０４は、最適なアンテナとしてアンテナ１１２を選択する前に前のドウェリング期間の間に選択されていないアンテナ１１２間をスイッチするのみであることができ得る１０４５。
【００７０】
そして、移動デバイス１０４は、アンテナ１１２の各々の送信パワーを比較することができ得る。たとえば、移動デバイスは、最適なアンテナを決定するために、第３の検定期間１０４１ｃの間の第１のアンテナ１１２ａの送信パワーを、第１の検定期間１０４１ａの間の第２のアンテナ１１２ｂの送信パワーおよび第２の検定期間１０４１ｂの間の第３のアンテナ１１２の送信パワーと、比較することができ得る。移動デバイス１０４は、最適なアンテナとして、最も小さい送信パワーを有するアンテナ１１２を選択することができ得る。第３のアンテナ１１２の送信パワーが、第１のアンテナ１１２ａの送信パワーおよび第２のアンテナ１１２ｂの送信パワーよりも小さい場合、移動デバイス１０４は、第３のアンテナ１１２を使用して基地局１０２に送信を送ること１０３７にスイッチすることができ得る１０４５ｄ。移動デバイス１０４は、ドウェリング期間１０４３の間に第３のアンテナ１１２を使用して基地局１０２に送信を送ることができ得る１０３７。
【００７１】
ひとたびドウェリング期間１０４３が経過すると、移動デバイス１０４は、第４の検定期間１０４１ｄの一部として第２のアンテナ１１２ｂを使用して基地局１０２に送信を送ること１０３９にスイッチすることができ得る１０４５ｅ。あるいは、移動デバイス１０４は、第４の検定期間１０４１ｄの一部として第１のアンテナ１１２ａを使用して基地局１０２に送信を送ることにスイッチすることができ得る１０４５。
【００７２】
図１１は、無線デバイス１１０１内に含まれることができ得る、ある特定のコンポーネントを示している。無線デバイス１１０１は、移動デバイス１０４であることができ得る。
【００７３】
無線デバイス１１０１は、プロセッサ１１０３を含む。プロセッサ１１０３は、汎用のシングルまたはマルチチップマイクロプロセッサ（たとえば、ＡＲＭ）、専用マイクロプロセッサ（たとえば、デジタルシグナルプロセッサ（ＤＳＰ））、マイクロ制御装置、プログラマブルゲートアレイ、等であることができ得る。プロセッサ１１０３は、中央処理装置（ＣＰＵ）と呼ばれることができ得る。単一のプロセッサ１１０３のみが図１１の無線デバイス１１０１において示されているが、代替の構成において、プロセッサの組み合わせ（たとえば、ＡＲＭおよびＤＳＰ）が使用されることができる。
【００７４】
無線デバイス１１０１は、また、メモリ１１０５を含む。メモリ１１０５は、電子情報を記憶することができる任意の電子コンポーネントであることができ得る。メモリ１１０５は、ランダムアクセスメモリ（ＲＡＭ）、読み取り専用メモリ（ＲＯＭ）、磁気ディスク記憶媒体、光記憶媒体、ＲＡＭにおけるフラッシュメモリデバイス、プロセッサとともに含まれるオンボードのメモリ、ＥＰＲＯＭメモリ、ＥＥＰＲＯＭメモリ、レジスタ、等、および、それらの組み合わせとして、具現化されることができ得る。
【００７５】
データ１１０７および命令１１０９が、メモリ１１０５に記憶されることができ得る。命令１１０９は、ここに開示された方法を実現するためにプロセッサ１１０３によって実行可能であることができ得る。命令１１０９を実行することは、メモリ１１０５において記憶されたデータ１１０７の使用を含むことができ得る。プロセッサ１１０３が命令１１０９を実行すると、命令１１０９ａのさまざまな部分がプロセッサ１１０３にロードされることができ、さまざまなデータ１１０７ａがプロセッサ１１０３にロードされることができ得る。
【００７６】
無線デバイス１１０１は、無線デバイス１１０１への信号の送信、および、無線デバイス１１０１からの信号の受信を可能にするために、送信機１１１１および受信機１１１３を含むこともでき得る。送信機１１１１および受信機１１１３は、集合的に、トランシーバ１１１５と呼ばれることができ得る。複数のアンテナ１１１７が、トランシーバ１１１５に電気的に結合されることができ得る。無線デバイス１１０１は、複数の送信機、複数の受信機および／または複数のトランシーバ（図示せず）を含むこともでき得る。
【００７７】
無線デバイス１１０１のさまざまなコンポーネントは、１つ以上のバスによって、ともに結合されることができ、それらは、パワーバス、制御信号バス、ステータス信号バス、データバス、等を含むことができ得る。明確にするために、さまざまなバスは、バスシステム１１１９として、図１１において示されている。
【００７８】
上記説明において、参照番号が、さまざまな用語に関連して使用されていることがある。用語が参照番号に関連して使用されている場合、これは、１つ以上の図で示された特定の要素に言及していることを意味する。用語が参照番号なしで使用されている場合、これは、任意の特定の図に限らず、この用語に一般的に言及していることを意味する。
【００７９】
「決定すること（determining）」という用語は、広範囲にわたるさまざまな動作を含み、したがって、「決定すること」は、計算すること、コンピュータ処理すること、処理すること、導き出すこと、調べること、検索すること（たとえば、表、データベース、または別のデータ構造を検索すること）、確認すること、等を含むことができる。また、「決定すること」は、受信すること（たとえば、情報を受信すること）、アクセスすること（たとえば、メモリにおけるデータにアクセスすること）、等を含むことができる。また、「決定すること」は、解決すること、選択すること、選ぶこと、確立すること、等を含むことができる。
【００８０】
「〜に基づいて」という句は、明確に別段の規定がされていない限り、「〜にのみ基づいて」を意味するわけではない。すなわち、「〜に基づいて」という句は、「〜にのみ基づいて」および「少なくとも〜に基づいて」の両方を説明している。
【００８１】
「プロセッサ」という用語は、汎用プロセッサ、中央処理装置（ＣＰＵ）、マイクロプロセッサ、デジタルシグナルプロセッサ（ＤＳＰ）、制御装置、マイクロ制御装置、ステートマシン、等を含むように、広く解釈されるべきである。いくつかの状況下で、「プロセッサ」は、特定用途向け集積回路（ＡＳＩＣ）、プログラマブル論理デバイス（ＰＬＤ）、フィールドプログラマブルゲートアレイ（ＦＰＧＡ）、等を言うことができ得る。「プロセッサ」という用語は、処理デバイスの組み合わせ、たとえば、ＤＳＰと、マイクロプロセッサ、複数のマイクロプロセッサ、ＤＳＰコア併用型の１つ以上のマイクロプロセッサとの組み合わせ、または、任意の他のそのような構成を言うことができ得る。
【００８２】
「メモリ」という用語は、電子情報を記憶することができる任意の電子コンポーネントを含むように、広く解釈されるべきである。メモリという用語は、ランダムアクセスメモリ（ＲＡＭ）、読み取り専用メモリ（ＲＯＭ）、不揮発性ランダムアクセスメモリ（ＮＶＲＡＭ）、プログラマブル読み取り専用メモリ（ＰＲＯＭ）、消去可能なプログラマブル読み取り専用メモリ（ＥＰＲＯＭ）、電気的に消去可能なＰＲＯＭ（ＥＥＰＲＯＭ）、フラッシュメモリ、磁気または光データ記憶装置、レジスタ、等といった、さまざまなタイプのプロセッサ可読媒体を言うことができ得る。メモリは、プロセッサがメモリから情報を読み出すことができ、メモリに情報を書き込むことができる場合に、プロセッサと電子通信すると言われるものである。プロセッサに組み込まれたメモリは、プロセッサと電子通信する。
【００８３】
「命令」および「コード」という用語は、（単数または複数の）任意のタイプのコンピュータ可読ステートメントを含むように、広く解釈されるべきである。たとえば、「命令」および「コード」という用語は、１つ以上のプログラム、ルーチン、サブルーチン、機能、手順、等を言うことができ得る。「命令」および「コード」は、単一のコンピュータ可読ステートメントまたは多数のコンピュータ可読ステートメントを含むことができ得る。
【００８４】
ここに説明された機能は、ハードウェア、ソフトウェア、ファームウェア、またはそれらの任意の組み合わせにおいて実現されることができ得る。ソフトウェアにおいて実現される場合、機能は、コンピュータ可読媒体に１つ以上の命令として記憶されることができ得る。「コンピュータ可読媒体」または「コンピュータプログラム製品」という用語は、コンピュータによってアクセスされることができる任意の利用可能な媒体のことを言う。限定ではなく例として、コンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または、コンピュータによってアクセスされることができ、命令またはデータ構造の形態で所望のプログラムコードを搬送または記憶するために使用されることができる、任意の他の媒体を含むことができ得る。ディスク（disk）およびディスク（disc）は、ここに使用される場合、コンパクトディスク（disc）（ＣＤ）、レーザー（登録商標）ディスク（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、磁気的にデータを再生するが、ディスク（disc）は、レーザーによって光学的にデータを再生する。
【００８５】
ソフトウェアまたは命令は、伝送媒体によって伝送されることもでき得る。 たとえば、ソフトウェアが、同軸ケーブル、光ファイバーケーブル、ツイストペア、デジタル加入者回線（ＤＳＬ）、または、赤外線、無線、およびマイクロ波といった無線技術を使用して、ウェブサイト、サーバー、または他のリモートソースから伝送される場合には、同軸ケーブル、光ファイバーケーブル、ツイストペア、ＤＳＬ、または赤外線、無線、およびマイクロ波といった無線技術が、伝送媒体の定義に含まれる。
【００８６】
ここに開示された方法は、説明された方法を達成するための１つ以上のステップまたは動作を含む。方法ステップおよび／または動作は、特許請求の範囲から逸脱せずに、互いに置き換えられることができ得る。すなわち、ステップまたは動作の特定の順序が、説明されている方法の適切な動作のために要求されない限り、特定のステップおよび／または動作の、順序および／または使用は、特許請求の範囲から逸脱せずに変更されることができ得る。
【００８７】
さらに、モジュール、および／または、図４、５、および７によって説明されたもののような、ここに説明された方法および技法を行うための他の適切な手段が、デバイスによって、ダウンロードおよび／または別のやり方で得られることができるということが理解されるべきである。たとえば、デバイスは、ここに説明された方法を行うための手段の転送を容易にするために、サーバーに結合されることができ得る。あるいは、ここに説明されたさまざまな方法は、記憶手段（たとえば、ランダムアクセスメモリ（ＲＡＭ）、読み取り専用メモリ（ＲＯＭ）、コンパクトディスク（ＣＤ）またはフロッピーディスクのような物理記憶媒体、等）を介して提供されることができるので、デバイスに記憶手段を結合または提供すると、デバイスは、さまざまな方法を得ることができ得る。さらに、ここに説明された方法および技法をデバイスに提供するための任意の他の適切な技法が、利用されることができる。
【００８８】
特許請求の範囲が上述された適切な構成およびコンポーネントに限定されないことが理解されるべきである。さまざまな変更、変化、および変形が、特許請求の範囲から逸脱せずに、ここに説明されたシステム、方法、および装置の配置、動作、および詳細において行われることができ得る。
以下に、本願出願の当初の特許請求の範囲に記載された発明を付記する。
［１］
アンテナを選択するための方法であって、
第１のドウェリング期間の間に第１のメトリックおよび無線周波数（ＲＦ）チェーンを有する第１のアンテナを使用して送信することと、
第１の検定期間の間に第２のメトリックを有する第２のアンテナを使用して送信することにスイッチすることであって、前記第２のアンテナは、前記第１のアンテナと同一のＲＦチェーンを使用する、ことと、
最適なアンテナを決定するために前記第２のメトリックと前記第１のメトリックを比較することと、
前記最適なアンテナを選択することと
を含む方法。
［２］
前記第１のメトリックは、前記第１のアンテナのための送信パイロットパワーを含み、前記第２のメトリックは、前記第２のアンテナのための送信パイロットパワーを含む、［１］に記載の方法。
［３］
前記第１のメトリックは、前記第１のアンテナのための合計送信パワーを含み、前記第２のメトリックは、前記第２のアンテナのための合計送信パワーを含む、［１］に記載の方法。
［４］
前記第１のメトリックは、前記第１のアンテナのための受信信号情報測定値を含み、前記第２のメトリックは、前記第２のアンテナのための受信信号情報測定値を含む、［１］に記載の方法。
［５］
基地局からパワー制御ビットを受信することと、
前記受信されたパワー制御ビットに応じて前記第１のメトリックを調整することと
をさらに含む、［１］に記載の方法。
［６］
基地局からパワー制御ビットを受信することと、
前記受信されたパワー制御ビットに応じて前記第２のメトリックを調整することと
をさらに含む、［１］に記載の方法。 
［７］
第２の検定期間を開始する前の第２のドウェリング期間の間に前記最適なアンテナを使用して送信することをさらに含む、［１］に記載の方法。
［８］
前記第１の検定期間は、前記第２のメトリックが検定閾値だけ前記第１のメトリックよりも悪い場合、早めに終了させられる、［１］に記載の方法。
［９］
前記第１のドウェリング期間は、前記第１のメトリックがドウェリング時間閾値の間にドウェリングメトリック閾値を超えてより悪い場合、早めに終了させられる、［１］に記載の方法。
［１０］
前記第１のドウェリング期間がチャネルのバリエーションに応じて適応させられる、［１］に記載の方法。 
［１１］
前記第１のドウェリング期間は、前記第１のアンテナが前記最適なアンテナとして連続して選択され、前記第１のドウェリング期間が最大ドウェリング期間でない場合、ドウェリング期間延長スケーリングファクターによって増加させられる、［１０］に記載の方法。 
［１２］
前記第１のドウェリング期間は、異なるアンテナが前のドウェリング期間の間の前記最適なアンテナとして選択され、前記第１のドウェリング期間が最小ドウェリング期間でない場合、ドウェリング期間減少スケーリングファクターによって減少させられる、［１０］に記載の方法。
［１３］
前記最適なアンテナを選択することが、より良好なメトリックを有するアンテナを選択することを含む、［１］に記載の方法。
［１４］
前記ＲＦチェーンが単一のパワー増幅器を含む、［１］に記載の方法。
［１５］
前記ＲＦチェーンが、デジタルアナログコンバータ（ＤＡＣ）、無線周波数（ＲＦ）ミキサ、励振増幅器、および、単一のパワー増幅器を含む、［１］に記載の方法。
［１６］
プロセッサと、
前記プロセッサと電子通信するメモリと、
前記メモリに記憶された命令であって、
第１のドウェリング期間の間に第１のメトリックおよび無線周波数（ＲＦ）チェーンを有する第１のアンテナを使用して送信し、
第１の検定期間の間に第２のメトリックを有する第２のアンテナを使用して送信することにスイッチし、前記第２のアンテナは前記第１のアンテナと同一のＲＦチェーンを使用し、
最適なアンテナを決定するために前記第２のメトリックと前記第１のメトリックを比較し、
前記最適なアンテナを選択する
ために、前記プロセッサによって実行可能な命令と
を含む、アンテナを選択するために構成された無線デバイス。
［１７］
前記第１のメトリックは、前記第１のアンテナのための送信パイロットパワーを含み、前記第２のメトリックは、前記第２のアンテナのための送信パイロットパワーを含む、［１６］に記載の無線デバイス。
［１８］
前記第１のメトリックは、前記第１のアンテナのための合計送信パワーを含み、前記第２のメトリックは、前記第２のアンテナのための合計送信パワーを含む、［１６］に記載の無線デバイス。
［１９］
前記第１のメトリックは、前記第１のアンテナのための受信信号情報測定値を含み、前記第２のメトリックは、前記第２のアンテナのための受信信号情報測定値を含む、［１６］に記載の無線デバイス。
［２０］
前記命令が、
基地局からパワー制御ビットを受信し、
前記受信されたパワー制御ビットに応じて前記第１のメトリックを調整する
ためにさらに実行可能である、［１６］に記載の無線デバイス。
［２１］
前記命令が、
基地局からパワー制御ビットを受信し、
前記受信されたパワー制御ビットに応じて前記第２のメトリックを調整する
ためにさらに実行可能である、［１６］に記載の無線デバイス。 
［２２］
前記命令が、第２の検定期間を開始する前の第２のドウェリング期間の間に前記最適なアンテナを使用して送信するためにさらに実行可能である、［１６］に記載の無線デバイス。
［２３］
前記第１の検定期間は、前記第２のメトリックが検定閾値だけ前記第１のメトリックよりも悪い場合、早めに終了させられる、［１６］に記載の無線デバイス。
［２４］
前記第１のドウェリング期間は、前記第１のメトリックがドウェリング時間閾値の間にドウェリングメトリック閾値を超えてより悪い場合、早めに終了させられる、［１６］に記載の無線デバイス。
［２５］
前記第１のドウェリング期間がチャネルのバリエーションに応じて適応させられる、［１６］に記載の無線デバイス。 
［２６］
前記第１のドウェリング期間は、前記第１のアンテナが前記最適なアンテナとして連続して選択され、前記第１のドウェリング期間が最大ドウェリング期間でない場合、ドウェリング期間延長スケーリングファクターによって増加させられる、［２５］に記載の無線デバイス。 
［２７］
前記第１のドウェリング期間は、異なるアンテナが前のドウェリング期間の間の前記最適なアンテナとして選択され、前記第１のドウェリング期間が最小ドウェリング期間でない場合、ドウェリング期間減少スケーリングファクターによって減少させられる、［２５］に記載の無線デバイス。
［２８］
前記最適なアンテナを選択することが、より良好なメトリックを有するアンテナを選択することを含む、［１６］に記載の無線デバイス。
［２９］
前記ＲＦチェーンが単一のパワー増幅器を含む、［１６］に記載の無線デバイス。
［３０］
前記ＲＦチェーンが、デジタルアナログコンバータ（ＤＡＣ）、無線周波数（ＲＦ）ミキサ、励振増幅器、および、単一のパワー増幅器を含む、［１６］に記載の無線デバイス。
［３１］
第１のドウェリング期間の間に第１のメトリックおよび無線周波数（ＲＦ）チェーンを有する第１のアンテナを使用して送信するための手段と、
第１の検定期間の間に第２のメトリックを有する第２のアンテナを使用して送信することにスイッチするための手段であって、前記第２のアンテナは前記第１のアンテナと同一のＲＦチェーンを使用する、手段と、
最適なアンテナを決定するために前記第２のメトリックと前記第１のメトリックを比較するための手段と、
前記最適なアンテナを選択するための手段と
を含む、アンテナを選択するために構成された装置。
［３２］
アンテナを選択するためのコンピュータプログラム製品であって、前記コンピュータプログラム製品は、命令を有するコンピュータ可読媒体を含み、前記命令が、
第１のドウェリング期間の間に第１のメトリックおよび無線周波数（ＲＦ）チェーンを有する第１のアンテナを使用して送信するためのコードと、
第１の検定期間の間に第２のメトリックを有する第２のアンテナを使用して送信することにスイッチするためのコードであって、前記第２のアンテナは前記第１のアンテナと同一のＲＦチェーンを使用する、コードと、
最適なアンテナを決定するために前記第２のメトリックと前記第１のメトリックを比較するためのコードと、
前記最適なアンテナを選択するためのコードと
を含む、コンピュータプログラム製品。
【図１】
0005313369.tif 000002
【図２】
0005313369.tif 000003
【図３】
0005313369.tif 000004
【図４】
0005313369.tif 000005
【図４Ａ】
0005313369.tif 000006
【図５】
0005313369.tif 000007
【図５Ａ】
0005313369.tif 000008
【図６】
0005313369.tif 000009
【図７】
0005313369.tif 000010
【図７Ａ】
0005313369.tif 000011
【図８】
0005313369.tif 000012
【図９】
0005313369.tif 000013
【図１０】
0005313369.tif 000014
【図１０Ａ】
0005313369.tif 000015
【図１１】
0005313369.tif 000016